【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
被写体の名称に係る情報と当該被写体の特徴を示す特徴情報とを関連付けた第１の辞書と、前記第１の辞書に含まれる前記被写体の名称に係る情報および前記被写体の特徴を示す特徴情報のうちの少なくともいずれかの情報に識別子を付した第２の辞書と、記録媒体に記録されている画像ファイルに関する情報であって当該画像ファイルに存在する被写体に関する情報を前記識別子と関連付けたファイル情報を含むデータベースとを管理する制御手段と、
前記第２の辞書における情報と、前記第１の辞書における情報との整合確認を行う整合確認手段と、
前記整合確認手段で不整合が確認された場合に、前記データベースを再構築する再構築手段と
を有することを特徴とする画像処理装置。
【請求項２】
前記再構築手段による再構築は、当該画像処理装置の電源が投入された時、前記記録媒体に記録されている画像ファイルを再生する再生モードが起動された時、当該再生モードに移行した時、または、前記データベースの検索を実行する指示がなされた時のいずれかの時に行われることを特徴とする請求項１に記載の画像処理装置。
【請求項３】
前記整合確認手段で整合が確認された場合、または、前記整合確認手段で不整合が確認された場合であって前記再構築手段によって前記データベースが再構築された場合に、検索する被写体に対応する前記識別子を検索条件に設定して、前記データベースを検索する検索手段を更に有することを特徴とする請求項１に記載の画像処理装置。
【請求項４】
前記検索手段は、前記第１の辞書に含まれる前記被写体の名称に係る情報の中から選択された被写体の名称に係る情報に基づいて、前記データベースを検索することを特徴とする請求項３に記載の画像処理装置。
【請求項５】
前記被写体の特徴を示す特徴情報は、当該被写体の顔の特徴を示す特徴情報であることを特徴とする請求項１に記載の画像処理装置。
【請求項６】
前記第２の辞書は、前記第１の辞書に含まれる前記被写体の名称に係る情報が被写体ごとに前記識別子としてＩＤが付されて構成されており、
前記ファイル情報は、前記画像ファイルに存在する被写体に関する情報が前記ＩＤと関連付けられて構成されており、
前記整合確認手段は、前記第２の辞書に含まれる前記被写体の名称に係る情報と、前記第１の辞書に含まれる前記被写体の名称に係る情報との整合確認を行うことを特徴とする請求項１に記載の画像処理装置。
【請求項７】
前記第２の辞書は、前記第１の辞書に含まれる前記被写体の特徴を示す特徴情報が被写体ごとに前記識別子としてＩＤが付されて構成されており、
前記ファイル情報は、前記画像ファイルに存在する被写体に関する情報が前記ＩＤと関連付けられて構成されており、
前記整合確認手段は、前記第２の辞書に含まれる前記被写体の特徴を示す特徴情報と、前記第１の辞書に含まれる前記被写体の特徴を示す特徴情報との整合確認を行うことを特徴とする請求項１に記載の画像処理装置。
【請求項８】
前記第１の辞書は、前記第２の辞書とは独立して更新されるものであることを特徴とする請求項１に記載の画像処理装置。
【請求項９】
被写体の名称に係る情報と当該被写体の特徴を示す特徴情報とを関連付けた第１の辞書と、前記第１の辞書に含まれる前記被写体の名称に係る情報および前記被写体の特徴を示す特徴情報のうちの少なくともいずれかの情報に識別子を付した第２の辞書と、記録媒体に記録されている画像ファイルに関する情報であって当該画像ファイルに存在する被写体に関する情報を前記識別子と関連付けたファイル情報を含むデータベースとを管理する管理ステップと、
前記第２の辞書における情報と、前記第１の辞書における情報との整合確認を行う整合確認ステップと、
前記整合確認ステップで不整合が確認された場合に、前記データベースを再構築する再構築ステップと
を有することを特徴とする画像処理装置の制御方法。
【請求項１０】
前記再構築ステップによる再構築は、前記画像処理装置の電源が投入された時、前記記録媒体に記録されている画像ファイルを再生する再生モードが起動された時、当該再生モードに移行した時、または、前記データベースの検索を実行する指示がなされた時のいずれかの時に行われることを特徴とする請求項９に記載の画像処理装置の制御方法。
【請求項１１】
前記整合確認ステップで整合が確認された場合、または、前記整合確認ステップで不整合が確認された場合であって前記再構築ステップによって前記データベースが再構築された場合に、検索する被写体に対応する前記識別子を検索条件に設定して、前記データベースを検索する検索ステップを更に有することを特徴とする請求項９に記載の画像処理装置の制御方法。
【請求項１２】
前記検索ステップは、前記第１の辞書に含まれる前記被写体の名称に係る情報の中から選択された被写体の名称に係る情報に基づいて、前記データベースを検索することを特徴とする請求項１１に記載の画像処理装置の制御方法。
【請求項１３】
前記被写体の特徴を示す特徴情報は、当該被写体の顔の特徴を示す特徴情報であることを特徴とする請求項９に記載の画像処理装置の制御方法。
【請求項１４】
請求項９に記載の画像処理装置の制御方法における各ステップをコンピュータに実行させるためのプログラムを記憶したことを特徴とするコンピュータ読み取り可能な記憶媒体。
【請求項１５】
被写体の名称に係る情報と当該被写体の特徴を示す特徴情報とを関連付けた辞書と、識別子が前記辞書における前記被写体の名称に係る情報に追加されたマッチング情報と、記録媒体に記録されている画像ファイルに関する情報であって当該画像ファイルに存在する被写体に関する情報を前記識別子と関連付けたファイル情報を含むデータベースとを管理する制御手段と、
前記制御手段の管理下において変更された、前記辞書における前記被写体の名称に係る情報に応じて、前記マッチング情報および前記データベースを再構築する再構築手段と
を有することを特徴とする画像処理装置。
【請求項１６】
前記再構築手段による再構築は、当該画像処理装置の電源が投入された時、前記記録媒体に記録されている画像ファイルを再生する再生モードが起動された時、当該再生モードに移行した時、または、前記データベースの検索を実行する指示がなされた時のいずれかの時に行われることを特徴とする請求項１５に記載の画像処理装置。
【請求項１７】
前記再構築手段によって前記データベースが再構築された場合に、検索する被写体に対応する前記識別子を検索条件に設定して、前記データベースを検索する検索手段を更に有することを特徴とする請求項１５に記載の画像処理装置。
【請求項１８】
前記検索手段は、前記辞書に含まれる前記被写体の名称に係る情報の中から選択された被写体の名称に係る情報に基づいて、前記データベースを検索することを特徴とする請求項１７に記載の画像処理装置。
【請求項１９】
前記被写体の特徴を示す特徴情報は、当該被写体の顔の特徴を示す特徴情報であることを特徴とする請求項１５に記載の画像処理装置。
【請求項２０】
被写体の名称に係る情報と当該被写体の特徴を示す特徴情報とを関連付けた辞書と、識別子が前記辞書における前記被写体の名称に係る情報に追加されたマッチング情報と、記録媒体に記録されている画像ファイルに関する情報であって当該画像ファイルに存在する被写体に関する情報を前記識別子と関連付けたファイル情報を含むデータベースとを管理する管理ステップと、
前記管理ステップの管理下において変更された、前記辞書における前記被写体の名称に係る情報に応じて、前記マッチング情報および前記データベースを再構築する再構築ステップと
を有することを特徴とする画像処理装置の制御方法。
【請求項２１】
前記再構築ステップによる再構築は、前記画像処理装置の電源が投入された時、前記記録媒体に記録されている画像ファイルを再生する再生モードが起動された時、当該再生モードに移行した時、または、前記データベースの検索を実行する指示がなされた時のいずれかの時に行われることを特徴とする請求項２０に記載の画像処理装置の制御方法。
【請求項２２】
前記再構築ステップによって前記データベースが再構築された場合に、検索する被写体に対応する前記識別子を検索条件に設定して、前記データベースを検索する検索ステップを更に有することを特徴とする請求項２０に記載の画像処理装置の制御方法。
【請求項２３】
前記検索ステップは、前記辞書に含まれる前記被写体の名称に係る情報の中から選択された被写体の名称に係る情報に基づいて、前記データベースを検索することを特徴とする請求項２２に記載の画像処理装置の制御方法。
【請求項２４】
前記被写体の特徴を示す特徴情報は、当該被写体の顔の特徴を示す特徴情報であることを特徴とする請求項２０に記載の画像処理装置の制御方法。
【請求項２５】
請求項２０に記載の画像処理装置の制御方法における各ステップをコンピュータに実行させるためのプログラムを記憶したことを特徴とするコンピュータ読み取り可能な記憶媒体。
【手続補正２】
【補正対象書類名】明細書
【補正対象項目名】０００１
【補正方法】変更
【補正の内容】
【０００１】
本発明は、データベース化された情報に基づき画像管理を行う画像処理装置及びその制御方法、並びに、当該制御方法をコンピュータに実行させるためのプログラムを記憶したコンピュータ読み取り可能な記憶媒体に関するものである。
【手続補正３】
【補正対象書類名】明細書
【補正対象項目名】０００８
【補正方法】変更
【補正の内容】
【０００８】
本発明の画像処理装置は、被写体の名称に係る情報と当該被写体の特徴を示す特徴情報とを関連付けた第１の辞書と、前記第１の辞書に含まれる前記被写体の名称に係る情報および前記被写体の特徴を示す特徴情報のうちの少なくともいずれかの情報に識別子を付した第２の辞書と、記録媒体に記録されている画像ファイルに関する情報であって当該画像ファイルに存在する被写体に関する情報を前記識別子と関連付けたファイル情報を含むデータベースとを管理する制御手段と、前記第２の辞書における情報と、前記第１の辞書における情報との整合確認を行う整合確認手段と、前記整合確認手段で不整合が確認された場合に、前記データベースを再構築する再構築手段とを有する。
本発明の画像処理装置における他の態様は、被写体の名称に係る情報と当該被写体の特徴を示す特徴情報とを関連付けた辞書と、識別子が前記辞書における前記被写体の名称に係る情報に追加されたマッチング情報と、記録媒体に記録されている画像ファイルに関する情報であって当該画像ファイルに存在する被写体に関する情報を前記識別子と関連付けたファイル情報を含むデータベースとを管理する制御手段と、前記制御手段の管理下において変更された、前記辞書における前記被写体の名称に係る情報に応じて、前記マッチング情報および前記データベースを再構築する再構築手段とを有する。
また、本発明は、上述した画像処理装置の制御方法、並びに、当該制御方法をコンピュータに実行させるためのプログラムを記憶したコンピュータ読み取り可能な記憶媒体を含む。